(57)【要約】【課題】エアコンの吹出口から吹き出される空気が向かう方向をより簡単、かつより微細に調整することが可能であり、シンプルな構造で、簡単にエアコンの吹出口に取り付け、取り外しでき、なおかつ低コストで提供できるエアコンの吹出空気案内器。【解決手段】エアコンの吹出口に取り付けて当該エアコンの吹出口から吹き出される空気が向かう方向を調整する吹出空気案内器。矩形の枠体の一方の対向する側壁に水平方向に延びる水平方向支持軸の両端がそれぞれ支持されており、前記枠体の上側開口から下側開口に向けて前記枠体内を通過する空気が流動する方向を制御する第一の風向制御板体が前記水平方向支持軸に取り付けられ、前記枠体の上側開口によって形成される平面と、前記第一の風向制御板体との間に形成される水平方向傾斜角度が任意に変更可能である。【選択図】図２
2010261641.tif 000002
【特許請求の範囲】
【請求項１】
エア・コンディショナーの吹出口に取り付けて当該エア・コンディショナーの吹出口から吹き出される空気が向かう方向を調整する吹出空気案内器であって、
矩形の枠体の一方の対向する側壁に水平方向に延びる水平方向支持軸の両端がそれぞれ支持されており、
前記枠体の上側開口から下側開口に向けて前記枠体内を通過する空気が流動する方向を制御する第一の風向制御板体が前記水平方向支持軸に取り付けられ、
前記枠体の上側開口によって形成される平面と、前記第一の風向制御板体との間に形成される水平方向傾斜角度が任意に変更可能である
ことを特徴とするエア・コンディショナーの吹出空気案内器。
【請求項２】
前記第一の風向制御板体は、前記水平方向支持軸が前記第一の風向制御板体の中央部に位置するように前記水平方向支持軸へ固定的に取り付けられ、前記水平方向支持軸が前記枠体の前記一方の対向する側壁に対して、回動可能に支持されていることによって、前記水平方向傾斜角度が任意に変更可能であることを特徴とする請求項１記載のエア・コンディショナーの吹出空気案内器。
【請求項３】
前記水平方向支持軸は、前記枠体の前記一方の対向する側壁に対して固定的に支持されており、前記第一の風向制御板体は、前記水平方向支持軸が前記第一の風向制御板体の中央部に位置するように前記水平方向支持軸に回動可能に取り付けられていることによって、前記水平方向傾斜角度が任意に変更可能であることを特徴とする請求項１記載のエア・コンディショナーの吹出空気案内器。
【請求項４】
前記第一の風向制御板体は前記水平方向支持軸が延びる長手方向において複数枚の単位風向制御板体に分割されており、各単位風向制御板体ごとに前記水平方向支持軸に対して回動させることにより、前記水平方向傾斜角度が任意に変更可能であることを特徴とする請求項３記載のエア・コンディショナーの吹出空気案内器。
【請求項５】
前記矩形の枠体の他方の対向する側壁の上端縁に前記エア・コンディショナーの吹出口への取り付け手段が配備されていることを特徴とする請求項１乃至請求項４のいずれか一項記載のエア・コンディショナーの吹出空気案内器。
【請求項６】
前記矩形の枠体は一枚の板状体からなり、前記矩形を形成する各境界辺部において折り曲げることにより折り畳み可能であることを特徴とする請求項１乃至請求項５のいずれか一項記載のエア・コンディショナーの吹出空気案内器。
【請求項７】
エア・コンディショナーの吹出口に取り付けて当該エア・コンディショナーの吹出口から吹き出される空気が向かう方向を調整する吹出空気案内器であって、
前記エア・コンディショナーの吹出口に取り付けられる上側に上側開口を有すると共に、４側壁の中の一の側壁に側壁開口を備えている四角柱状体の底面に、垂直方向に延びる垂直方向支持軸の下端が支持され、
前記四角柱状体の上側開口から前記側壁開口に向けて前記四角柱状体内を通過する空気が流動する方向を制御する第二の風向制御板体が前記垂直方向支持軸に取り付けられ、
前記四角柱状体の底面に前記垂直方向支持軸の下端が支持されている位置を中心とする前記第二の風向制御板体の周方向角度が任意に変更可能である
ことを特徴とするエア・コンディショナーの吹出空気案内器。
【請求項８】
前記第二の風向制御板体は、前記垂直方向支持軸が前記第二の風向制御板体の中央部に位置するように前記垂直方向支持軸へ固定的に取り付けられ、前記垂直方向支持軸が前記四角柱状体の底面に対して回動可能に支持されていることによって、前記前記第二の風向制御板体の周方向角度が任意に変更可能であることを特徴とする請求項７記載のエア・コンディショナーの吹出空気案内器。
【請求項９】
前記垂直方向支持軸は、前記四角柱状体の底面に対して固定的に支持されており、前記第二の風向制御板体は、前記垂直方向支持軸が前記第二の風向制御板体の中央部に位置するように前記垂直方向支持軸に回動可能に取り付けられていることによって、前記前記第二の風向制御板体の周方向角度が任意に変更可能であることを特徴とする請求項７記載のエア・コンディショナーの吹出空気案内器。
【請求項１０】
前記四角柱状体の側壁の上端縁に前記エア・コンディショナーの吹出口への取り付け手段が配備されていることを特徴とする請求項７乃至請求項９のいずれか一項記載のエア・コンディショナーの吹出空気案内器。
【発明の詳細な説明】
【技術分野】
【０００１】
本発明は、エア・コンディショナー（以下、本明細書、請求の範囲、図面において「エアコン」ということがある）の吹出口に取り付けて当該エアコンの吹出口から吹き出される空気が向かう方向を調整、制御する吹出空気案内器に関する。特に、店舗やオフィスなどで天井面に取り付けられ、室内側に向かう表面に吹出口を備えているエアコンの吹出口に取り付け、当該エアコンの吹出口から吹き出される空気が向かう方向を調整、制御する吹出空気案内器に関する。
【背景技術】
【０００２】
従来からエアコンの吹出口から吹き出される冷気や暖気が人に直接あたるときの不快感を防止する目的で種々の吹出空気案内器が提案されている（例えば、特許文献１）。
【０００３】
この従来の提案は、エアコンの吹出口近傍に、例えば、両面粘着テープや吸着盤等を介して止着される一対の固定板、該一対の固定板に表面にそれぞれ形成される嵌合溝、該それぞれの嵌合溝に嵌脱自在なＴ字型固定部を有する一対の支持アームから構成されるものであった。前記一対の支持アームの先端部から互いに対向し突出して設けられた一対の軸受け部が配備されており、該軸受け部間に風向調整用ルーバーを回転自在に挟持して、利用者が任意に風向調整用ルーバーの回転角度を変更できるようになっていた。
【０００４】
これによって、部品数を減らし、シンプルで安価な商品を提供し、且つ、各部品の接続並びに固定方法は摘子による螺着等、人によって締め付け状態の異なる方法を採用せず、嵌合、軸架のみのシンプル構造とし、更に、風向調整用ルーバーの支持アームは、単一部材となし、エアコンの吹出口縁部近傍に、例えば、両面粘着テープや吸着盤等を介して止着される固定板に嵌着する構成として、支持アームの長さを短く、途中で接続構造のないものにして、冷気や暖気の吹き出しにより、風向調整用ルーバーが振動して振動音を発生させない構造にすることができる、とされていた。
【先行技術文献】
【特許文献】
【０００５】
【特許文献１】特開２００４−１３８３６３号公報
【発明の概要】
【発明が解決しようとする課題】
【０００６】
エアコンから吹き出される冷気や暖気に対しては、同一の室内に居る人の中でも、ある人は心地よさを感じ、一方、他の人は不快感を感じる等々、同一の室内に居る人、個人、個人で異なる感覚を抱くことが多い。
【０００７】
そのため、エアコンの吹出空気案内器には、エアコンの吹出口から吹き出される空気が向かう方向を簡単に細かく調整できることが要求されている。また、低価格で提供され、シンプルな構造で、簡単にエアコンの吹出口に取り付け、取り外しできるものであることが要求される。
【０００８】
そこで、本発明は、エアコンの吹出口から吹き出される空気が向かう方向をより簡単、かつより微細に調整、制御することが可能であり、シンプルな構造で、簡単にエアコンの吹出口に取り付け、取り外しでき、なおかつ低コストで提供できるエアコンの吹出空気案内器を提供することを目的にしている。
【課題を解決するための手段】
【０００９】
本発明が提案するものは以下の通りである。
【００１０】
請求項１記載の発明は、
エア・コンディショナーの吹出口に取り付けて当該エア・コンディショナーの吹出口から吹き出される空気が向かう方向を調整する吹出空気案内器であって、
矩形の枠体の一方の対向する側壁に水平方向に延びる水平方向支持軸の両端がそれぞれ支持されており、
前記枠体の上側開口から下側開口に向けて前記枠体内を通過する空気が流動する方向を制御する第一の風向制御板体が前記水平方向支持軸に取り付けられ、
前記枠体の上側開口によって形成される平面と、前記第一の風向制御板体との間に形成される水平方向傾斜角度が任意に変更可能である
ことを特徴とするエア・コンディショナーの吹出空気案内器
である。
【００１１】
請求項２記載の発明は、
前記第一の風向制御板体は、前記水平方向支持軸が前記第一の風向制御板体の中央部に位置するように前記水平方向支持軸へ固定的に取り付けられ、前記水平方向支持軸が前記枠体の前記一方の対向する側壁に対して、回動可能に支持されていることによって、前記水平方向傾斜角度が任意に変更可能であることを特徴とする請求項１記載のエア・コンディショナーの吹出空気案内器
である。
【００１２】
請求項３記載の発明は、
前記水平方向支持軸は、前記枠体の前記一方の対向する側壁に対して固定的に支持されており、前記第一の風向制御板体は、前記水平方向支持軸が前記第一の風向制御板体の中央部に位置するように前記水平方向支持軸に回動可能に取り付けられていることによって、前記水平方向傾斜角度が任意に変更可能であることを特徴とする請求項１記載のエア・コンディショナーの吹出空気案内器
である。
【００１３】
請求項４記載の発明は、
前記第一の風向制御板体は前記水平方向支持軸が延びる長手方向において複数枚の単位風向制御板体に分割されており、各単位風向制御板体ごとに前記水平方向支持軸に対して回動させることにより、前記水平方向傾斜角度が任意に変更可能であることを特徴とする請求項３記載のエア・コンディショナーの吹出空気案内器
である。
【００１４】
請求項５記載の発明は、
前記矩形の枠体の他方の対向する側壁の上端縁に前記エア・コンディショナーの吹出口への取り付け手段が配備されていることを特徴とする請求項１乃至請求項４のいずれか一項記載のエア・コンディショナーの吹出空気案内器
である。
【００１５】
請求項６記載の発明は、
前記矩形の枠体は一枚の板状体からなり、前記矩形を形成する各境界辺部において折り曲げることにより折り畳み可能であることを特徴とする請求項１乃至請求項５のいずれか一項記載のエア・コンディショナーの吹出空気案内器
である。
【００１６】
請求項７記載の発明は、
エア・コンディショナーの吹出口に取り付けて当該エア・コンディショナーの吹出口から吹き出される空気が向かう方向を調整する吹出空気案内器であって、
前記エア・コンディショナーの吹出口に取り付けられる上側に上側開口を有すると共に、４側壁の中の一の側壁に側壁開口を備えている四角柱状体の底面に、垂直方向に延びる垂直方向支持軸の下端が支持され、
前記四角柱状体の上側開口から前記側壁開口に向けて前記四角柱状体内を通過する空気が流動する方向を制御する第二の風向制御板体が前記垂直方向支持軸に取り付けられ、
前記四角柱状体の底面に前記垂直方向支持軸の下端が支持されている位置を中心とする前記第二の風向制御板体の周方向角度が任意に変更可能である
ことを特徴とするエア・コンディショナーの吹出空気案内器
である。
【００１７】
請求項８記載の発明は、
前記第二の風向制御板体は、前記垂直方向支持軸が前記第二の風向制御板体の中央部に位置するように前記垂直方向支持軸へ固定的に取り付けられ、前記垂直方向支持軸が前記四角柱状体の底面に対して回動可能に支持されていることによって、前記前記第二の風向制御板体の周方向角度が任意に変更可能であることを特徴とする請求項７記載のエア・コンディショナーの吹出空気案内器
である。
【００１８】
請求項９記載の発明は、
前記垂直方向支持軸は、前記四角柱状体の底面に対して固定的に支持されており、前記第二の風向制御板体は、前記垂直方向支持軸が前記第二の風向制御板体の中央部に位置するように前記垂直方向支持軸に回動可能に取り付けられていることによって、前記前記第二の風向制御板体の周方向角度が任意に変更可能であることを特徴とする請求項７記載のエア・コンディショナーの吹出空気案内器
である。
【００１９】
請求項１０記載の発明は、
前記四角柱状体の側壁の上端縁に前記エア・コンディショナーの吹出口への取り付け手段が配備されていることを特徴とする請求項７乃至請求項９のいずれか一項記載のエア・コンディショナーの吹出空気案内器
である。
【発明の効果】
【００２０】
この発明によれば、エアコンの吹出口に取り付けて当該エアコンの吹出口から吹き出される空気が向かう方向を調整、制御する吹出空気案内器、特に、店舗やオフィスなどで天井面に取り付けられ、室内側に向かう表面に吹出口を備えているエアコンの吹出口に取り付け、当該エアコンの吹出口から吹き出される空気が向かう方向を調整、制御する吹出空気案内器であって、エアコンの吹出口から吹き出される空気が向かう方向をより簡単、かつより微細に調整、制御することが可能であり、シンプルな構造で、簡単にエアコンの吹出口に取り付け、取り外しでき、なおかつ低コストで提供できるエアコンの吹出空気案内器を提供することができる。
【図面の簡単な説明】
【００２１】
【図１】本発明の吹出空気案内器が取り付けられたエアコンの一例の状態を説明する斜視図。
【図２】（ａ）本発明の吹出空気案内器がエアコンの吹出口に取り付けられる状態の一例を説明する斜視図、（ｂ）図２（ａ）図示の吹出空気案内器を下側（底面側）から見た状態を表わす図。
【図３】図２図示の本発明の吹出空気案内器の構成部材の一例を説明する図であって、（ａ）は矩形の枠体が展開された状態の平面図、（ｂ）、（ｃ）、（ｄ）、（ｅ）は水平方向支持軸の端部が矩形の枠体の一方の対向する側壁に支持される際に取り付けを行なうゴム部材を説明する図、（ｆ）、（ｇ）は第一の風向制御板体を構成する構成部材を説明する図、（ｈ）は水平方向支持軸を表す図。
【図４】（ａ）、（ｂ）は図２図示の本発明の吹出空気案内器の分解斜視図、（ｃ）は組み立てられた状態の本発明の吹出空気案内器のうえ側から見た斜視図。
【図５】図２図示の本発明の吹出空気案内器が長手方向に２個接続されている状態を説明する図であって、（ａ）は下側方向から見たときに斜視図、（ｂ）は上側方向から見たときの斜視図。
【図６】第一の風向制御板体が水平方向支持軸が延びる長手方向において複数枚の単位風向制御板体に分割されている一例を説明する斜視図。
【図７】本発明の他の吹出空気案内器を構成する四角柱状体が展開された状態を表わす平面図。
【図８】本発明の他の吹出空気案内器を表わす図であって、（ａ）は上側方向から見たときの斜視図、（ｂ）は側壁開口側から見た側面図。
【発明を実施するための形態】
【００２２】
本発明によるエア・コンディショナーの吹出空気案内器１、７１は、図１に例示するように、店舗やオフィスなどで天井面に取り付けられ、室内側に向かう表面に吹出口１０１を備えているエアコン１００の吹出口１０１に取り付け、エアコン１００の吹出口１０１から吹き出される空気が向かう方向を調整、制御するものである。以下、添付図面を参照して本発明の好ましい実施例を説明する。
【実施例１】
【００２３】
図２〜図６を参照して本発明の好ましい実施例を説明する。
【００２４】
図２〜図６図示の吹出空気案内器１は、矩形の枠体２、円柱状の水平方向支持軸１５、水平方向支持軸１５に取り付けられる第一の風向制御板体１２とからで構成される。
【００２５】
水平方向に延びる水平方向支持軸１５の両端１５ａ、１５ｂは、矩形の枠体２の一方の対向する側壁３、４にそれぞれ支持される。
【００２６】
矩形の枠体２の他方の対向する側壁５、６の上端縁にはエア・コンディショナー１００の吹出口１０１への取り付け手段が配備されている。
【００２７】
図示の実施形態では、矩形の枠体２の他方の対向する側壁５、６は上端側に折り曲げ線７ａ、８ａ（図３（ａ））を介して折り曲げ可能に側壁５、６の上方に延長されている取付片７、８を備えている。そして、図２（ａ）図示のように取付片７、８を折り曲げた際にエア・コンディショナー１００の吹出口１０１に向かう側の面に両面テープ２０が配備されている。なお、図２（ａ）では取付片８の上には両面テープ２０が配備されていないが、取付片８にも取付片７と同じように両面テープ２０を配備する。
【００２８】
第一の風向制御板体１２は、水平方向支持軸１５が第一の風向制御板体１２の中央部に位置するように水平方向支持軸１５へ取り付けられている。
【００２９】
図２（ａ）、図４（ｃ）図示のように枠体２内に第一の風向制御板体１２が配備されていることにより、枠体２の上側開口から下側開口に向けて枠体２内を通過する空気が流動する方向は、第一の風向制御板体１２によって調整、制御される。図２（ａ）を参照して説明すれば、枠体２の上側開口に、エア・コンディショナー１００の吹出口１０１から矢印８０で示すように流入した空気は、枠体２の上側開口によって形成される平面１４（図４（ａ）、（ｃ））と、第一の風向制御板体１２との間に形成される水平方向傾斜角度に応じて、矢印８１で示す方向に曲げられ、枠体２の下側開口から吹き出ていく。
【００３０】
図示の実施形態では、側壁３、４にそれぞれ四角の孔３ａ、４ａ（図３（ａ））が設けられており、ここに四角形の外形を有するゴム部材１６、１７がそれぞれ嵌め込まれる。そして、ゴム部材１６、１７の枠体２内側に向かう側に形成されている円形の孔１６ａ、１７ａ（図３（ｂ）、（ｃ））内に、それぞれ、水平方向支持軸１５の断面円形の両端１５ａ、１５ｂ（図３（ｈ））がはめ込まれている。
【００３１】
四角の孔３ａ、４ａに、四角形の外形を有するゴム部材１６、１７がそれぞれ嵌め込まれるのでゴム部材１６、１７は孔３ａ、４ａに対して回転することができない。
【００３２】
一方、ゴム部材１６、１７の円形の孔１６ａ、１７ａ内に水平方向支持軸１５の断面円形の両端１５ａ、１５ｂがはめ込まれているので、強制的に水平方向支持軸１５をゴム部材１６、１７に対して回転させることによって、水平方向支持軸１５を矢印３０ａ、３０ｂ方向に回動させることができる（図２（ａ）、図４（ｃ））。
【００３３】
図示の実施形態では、水平方向支持軸１５に取り付けられている第一の風向制御板体１２は、図３（ｆ）、（ｇ）図示のように、両側の平坦部１２ａ、１２ｅと、平坦部１２ａ、１２ｅの間に存在していて、平坦部１２ａ、１２ｅから中心線１２ｃ側に向かって屈曲している屈曲部１２ｂ、１２ｄと備えている板状体と、板状体１３とから構成されている。
【００３４】
屈曲部１２ｂ、１２ｄで形成される窪み部分に水平方向支持軸１５が配置され、その上から板状体１３が取り付けられることによって、第一の風向制御板体１２は、水平方向支持軸１５が第一の風向制御板体１２の中央部に位置するように水平方向支持軸１５へ取り付けられる。
【００３５】
図示の実施形態では、このような構造による水平方向支持軸１５への第一の風向制御板体１２の取り付けは固定的なものにしている。
【００３６】
前述したように、図示の実施形態では、側壁３、４の四角の孔３ａ、４ａに対して回動不能に嵌め込まれているゴム部材１６、１７に対して水平方向支持軸１５の両端１５ａ、１５ｂがはめ込まれ、強制的に水平方向支持軸１５をゴム部材１６、１７に対して矢印３０ａ、３０ｂ方向に回動させることができる。そこで、水平方向支持軸１５へ固定的に取り付けられている第一の風向制御板体１２も、水平方向支持軸１５とともに、枠体２に対して、矢印３０ａ、３０ｂ方向に回動可能になっている（図２（ａ）、図４（ｃ））。
【００３７】
そこで、図示の実施形態では、水平方向支持軸１５に対して固定的に取り付けられている第一の風向制御板体１２を水平方向支持軸１５とともにゴム部材１６、１７に対して強制的に回動させることによって、枠体２の上側開口によって形成される平面１４（図４（ａ）、（ｃ））と、第一の風向制御板体１２との間に形成される水平方向傾斜角度を任意に変更できる。これによって、枠体２の上側開口に、エア・コンディショナー１００の吹出口１０１から矢印８０で示すように流入した空気は、枠体２の上側開口によって形成される平面１４（図４（ａ）、（ｃ））と、第一の風向制御板体１２との間に形成される水平方向傾斜角度に応じて、矢印８１で示す方向に曲げられ、枠体２の下側開口から吹き出ていく（図２（ａ））。
【００３８】
図３はこの実施例の吹出空気案内器１の構成部材を説明する図である。図３（ａ）は矩形の枠体２が展開された状態の平面図である。図中、一点鎖線２ｂ、２ｃ、２ｄで折り曲げて矩形にし、一点鎖線２ａで折り曲げた接続片２ｅを側壁５の符号５ａで示す部分に超音波溶接により取り付けて、図２（ａ）、図４（ａ）図示のような矩形形状にする。
【００３９】
このように、矩形の枠体２は一枚の板状体２ａ（図３（ａ））からなり、この矩形を形成する各境界辺部（一点鎖線２ａ、２ｂ、２ｃ、２ｄ）において折り曲げることにより折り畳み可能である。
【００４０】
一方、水平方向支持軸１５がその中央部に位置するように水平方向支持軸１５へ取り付けられている第一の風向制御板体１２は、図３（ｆ）、（ｇ）、（ｈ）図示の部材を用いて前述したようにして、図４（ａ）の右下側に示すように構成する。
【００４１】
そして、商品としての本発明によるエア・コンディショナーの吹出空気案内器１は、取付片７、８に両面テープ２０を取り付けた後、前記のようにして折り畳んだ矩形の枠体２、図４（ａ）の右下側に示すように水平方向支持軸１５に取り付けられている第一の風向制御板体１２、図３（ｂ）〜（ｅ）図示のゴム部材１６、１７を一つのキットにまとめて市場に提供することができる。
【００４２】
これを購入した使用者は、図４（ａ）の左上側に図示されているように矩形の枠体２を立体的にし、測壁３、４の孔３ａ、４ａにゴム部材１６、１７をはめ込み、図４（ａ）の右下側に図示されているように第一の風向制御板体１２が取り付けられている水平方向支持軸１５の両端１５ａ、１５ｂをゴム部材１６、１７の孔１６ａ、１７ａにはめ込んで図２（ａ）、図４（ｃ）図示の状態に組み立てる。
【００４３】
そして、取付片７、８の幅が大きすぎるならば、取付片７、８に刻設、等されている切り取り線９、１０を参考にして取付片７、８の幅が小さくなるように不要な部分を切除し、両面テープ２０を用いて、エアコン１００の吹出口１０１へ吹出空気案内器１を取り付ける。
【００４４】
エアコン１００の吹出口１０１からの空気の吹き出しが開始されたならば、風が向かう方向を考慮して第一の風向制御板体１２を矢印３０ａ方向、あるいは矢印３０ｂ方向に傾斜させて、風が向かう方向を調整、制御する。
【００４５】
エアコン１００の吹出口１０１の長手方向の長さが長い場合には、図５図示のように吹出空気案内器１ａ、１ｂを長手方向に連結して使用することができる。
【００４６】
図１では、一つの吹出口１０１に一つの吹出空気案内器１が取り付けられているが、通常は、吹出空気案内器１の長手方向の長さ（図２（ｂ）中、左右方向の長さ）は、吹出口１０１の手方向の長さより短くしておくことが望ましい。例えば、一つの吹出口１０１（図１）に対して、図５のように長手方向に複数個並べた本発明の吹出空気案内器１が取り付けられるようにする事が望ましい。このようにすれば、一つの吹出口１０１から吹き出される空気の向かう方向を、一つの吹出口１０１の長手方向に複数個取り付けられている吹出空気案内器１ごとに調整できる。これによって、室内に居る人々の個々の要望により適切に対応する風向制御が可能になる。
【００４７】
以上の実施形態では、第一の風向制御板体１２が水平方向支持軸１５に固定的に取り付けられている場合を説明した。しかし、第一の風向制御板体１２、水平方向支持軸１５を構成する部材を調整することによって、第一の風向制御板体１２を水平方向支持軸１５に対して回動可能に取り付け、第一の風向制御板体１２を水平方向支持軸１５に対して矢印３０ａ方向、あるいは矢印３０ｂ方向に強制的に回動させることによって、枠体２の上側開口によって形成される平面１４（図４（ａ）、図４（ｃ））と、第一の風向制御板体１２との間に形成される水平方向傾斜角度を任意に変更する形態にすることもできる。
【００４８】
この場合、水平方向支持軸１５は、前述したように、側壁３、４の四角の孔３ａ、４ａに対して回動不能に嵌め込まれているゴム部材１６、１７に対して強制的に矢印３０ａ、３０ｂ方向に回動可能な形態にしておくこともできるし、他の取り付け形態によって、水平方向支持軸１５が側壁３、４に対して回動不能に取り付けられる形態にすることもできる。
【００４９】
なお、第一の風向制御板体１２を水平方向支持軸１５に対して回動可能に取り付ける場合、図６図示のように、第一の風向制御板体１２が水平方向支持軸１５が延びる長手方向において複数枚の単位風向制御板体２２ａ、２２ｂに分割されており、各単位風向制御板体２２ａ、２２ｂごとに水平方向支持軸１５に対して矢印３０ａ、３０ｂ、３１ａ、３１ｂで示すように回動させ、水平方向傾斜角度を任意に変更可能にすることもできる。
【００５０】
いずれにしても、本発明によるエアコンの吹出空気案内器１は、簡単にエアコン１００の吹出口１０１に取り付け、取り外しできる。
【００５１】
そして、使用者が第一の風向制御板体１２を矢印３０ａ、３０ｂの方向に任意に回転させることによって、枠体２の上側開口によって形成される平面１４（図４（ａ）、図４（ｃ））と、第一の風向制御板体１２との間に形成される水平方向傾斜角度を任意に調整できる。これによって、枠体２の上側開口に、エアコン１００の吹出口１０１から矢印８０で示すように流入した空気は、枠体２の上側開口によって形成される平面１４（図４（ａ）、図４（ｃ））と、第一の風向制御板体１２との間に形成される水平方向傾斜角度に応じて、矢印８１で示す方向に曲げられ、枠体２の下側開口から吹き出ていく。そこで、エアコン１００の吹出口１０１から吹き出される空気が向かう方向をより簡単、かつより微細に調整することができる。
【００５２】
また、本発明によるエアコンの吹出空気案内器１は、図３に分解して示した部材のみで形成することができ、シンプルな構造であって、購入者、使用者が簡単に組み立てを行って、簡単にエアコン１００の吹出口１０１に取り付け、取り外しすることができる。
【００５３】
図３に分解して示した部材中、ゴム部材１６、１７以外は、合成樹脂製、紙製などとすることができ、低コストで提供できる。
【実施例２】
【００５４】
図７、図８は本発明の他の実施例を説明するものである。図２〜図６を用いて実施例１で説明したものと共通する構成要素には同一の符号を付けてその説明を省略する。
【００５５】
この実施例によるエアコンの吹出空気案内器７１は、エアコン１００の吹出口１０１に取り付けられる上側に上側開口５０を有すると共に、４つの側壁４２、４３、４４、４５の中の一の側壁４４に側壁開口５１を備えている四角柱状体７０の底面５２に、垂直方向に延びる垂直方向支持軸５４の下端が支持されている。
【００５６】
垂直方向支持軸５に第二の風向制御板体５５が取り付けられ、四角柱状体７０の上側開口５０から側壁開口５１に向けて四角柱状体７０内を通過する空気の流動方向が、第二の風向制御板体５５によって調整、制御される。この調整、制御は、四角柱状体７０の底面５２に垂直方向支持軸５４の下端が支持されている位置を中心とする第二の風向制御板体５５の周方向角度を、矢印６０、６１で示すように、任意に変更にして行うものである。
【００５７】
図７は、この実施例の吹出空気案内器７１の四角柱状体７０を形成する一枚の板状体７０ａが展開された状態の平面図である。
【００５８】
図中、一点鎖線５２ｄ、５２ｅ、５２ｆで折り曲げ、底面５２を側壁４２に連続させて形成する。折り曲げ片部５２ｂ、５２ｃは、側壁４３、４５の下部内側に当接する。また、一点鎖線５３ｄ、５３ｅ、４４ａで折り曲げ、中間壁５３を側壁４４に連続させて形成する。折り曲げ片部５３ｂ、５３ｃは、側壁４３、４５の中段部の内側に当接する。また、突起部６２、６３が、側壁４３、４５に形成されている係合孔６４、６５に係合される。こうして、中間壁５３が側壁４３、４５によって安定的に支持され、側壁４４に側壁開口５１（図８（ｂ））が形成される。
【００５９】
第一の風向制御板体５５は、実施例１で図３（ｆ）、（ｇ）を用いて説明した第一の風向制御板体１２と同じように、両側の平坦部５６ａ、５６ｅと、平坦部５６ａ、５６ｅの間に存在していて、平坦部５６ａ、５６ｅから中心線側に向かって屈曲している屈曲部と備えている板状体と、板状体５７とから構成されている。屈曲部で形成される窪み部分に垂直方向支持軸５４が配置され、その上から板状体５７が取り付けられることによって、第二の風向制御板体５５は、垂直方向支持軸５４が第二の風向制御板体５５の中央部に位置するように垂直方向支持軸５４へ取り付けられる。
【００６０】
図示の実施形態では、実施例１で説明したものと同じように、底面５２、中間壁５３にそれぞれ四角の孔５２ａ、５３ａ（図７）が設けられており、ここに実施体１で説明したものと同じように、四角形の外形を有するゴム部材１６、１７がそれぞれ嵌め込まれる。そして、ゴム部材１６、１７の互いに向かい合う側に形成されている円形の孔（図３（ｂ）、（ｃ））内に、それぞれ、垂直方向支持軸５４の断面円形の両端がはめ込まれている。
【００６１】
四角の孔５２ａ、５３ａに、四角形の外形を有するゴム部材１６、１７がそれぞれ嵌め込まれるのでゴム部材１６、１７は孔５２ａ、５３ａに対して回転することができない。
【００６２】
一方、ゴム部材１６、１７の円形の孔内に垂直方向支持軸５４の断面円形の両端がはめ込まれているので、強制的に垂直方向支持軸５４をゴム部材１６、１７に対して回転させることによって、垂直方向支持軸５４を矢印６０、６１方向に回動させることができる（図８（ａ））。
【００６３】
この実施例でも、実施例１で説明したように、垂直方向支持軸５４への第二の風向制御板体５５の取り付けは固定的なものにすることができるし、あるいは、回動可能な取り付け方にすることもできる。
【００６４】
そこで、第二の風向制御板体５５を矢印６０、６１方向に回動させることによって、四角柱状体７０の底面５２に垂直方向支持軸５４の下端が支持されている位置を中心とする第二の風向制御板体５５の周方向角度を、矢印６０、６１で示すように、任意に変更することができる。
【００６５】
これによって、この実施例によるエアコンの吹出空気案内器７１をエアコン１００の吹出口１０１に取り付け、上側開口５０から四角柱状体７０内に流入する吹出口１０１から吹き出された空気が、側壁開口５１から吹き出されていくときの方向を任意に微調整することができる。
【００６６】
この実施例によるエアコンの吹出空気案内器７１も、実施例１で説明した吹出空気案内器１と同様にキット構成にして販売することができる。購入者・使用者は前述したようにして四角柱状体７０を組み立て、第二の風向制御板体５５が取り付けられている垂直方向支持軸５４を取り付け、折り曲げ線４７ａ、４６ａ、４９ａ、４８ａで折り曲げて取付片４７、４６、４９、４８とする。そして、図８（ａ）では図示が省略されている、取付片４７、４６、４９、４８上に配備されている両面テープを用いて、エアコン１００の吹出口１０１に取り付ける。
【００６７】
エアコン１００の吹出口１０１からの空気の吹き出しが開始されたならば、風が向かう方向を考慮して第二の風向制御板体５５を矢印６０方向、あるいは矢印６１方向に回動させて、風が向かう方向を調整、制御する。
【００６８】
そこで、エアコン１００の吹出口１０１から吹き出される空気が向かう方向をより簡単、かつより微細に調整することができる。
【００６９】
また、本発明によるエアコンの吹出空気案内器７１も、実施例１で説明したものと同様に、シンプルな構造であって、購入者、使用者が簡単に組み立てを行って、簡単にエアコン１００の吹出口１０１に取り付け、取り外しすることができる。
【００７０】
実施例１の場合と同じく、ゴム部材１６、１７以外は、合成樹脂製、紙製などとすることができ、低コストで提供できる。
【００７１】
以上、添付図面を参照して本発明の好ましい実施形態、実施例を説明したが、本発明はこれらの実施形態、実施例に限定されるものではなく、特許請求の範囲の記載から把握される技術的範囲において種々の形態に変更可能である。
【符号の説明】
【００７２】
１  吹出空気案内器
２  矩形の枠体
３、４  矩形の枠体の一方の対向する側壁
５、６  矩形の枠体の他方の対向する側壁
７、８  取付片
２０  両面テープ
１２  第一の風向制御板体
１５  水平方向支持軸
７１  吹出空気案内器
５０  上側開口
４２、４３、４４、４５  側壁
５１  側壁開口
５２  底面
５４  垂直方向支持軸
５５  第二の風向制御板体
７０  四角柱状体
１００  エア・コンディショナー
１０１  エア・コンディショナーの吹出口
【図１】
2010261641.tif 000003
【図２】
2010261641.tif 000004
【図３】
2010261641.tif 000005
【図４】
2010261641.tif 000006
【図５】
2010261641.tif 000007
【図６】
2010261641.tif 000008
【図７】
2010261641.tif 000009
【図８】
2010261641.tif 000010